(57)【要約】【課題】巻取時は巻取芯の働きをし、巻終えた後は巻取ロールから引き抜き、巻取ロールを巻取芯なしの状態にし、引き抜かれた巻芯は次の巻取ロールの巻取芯に使用できる巻取芯を提供し、近年の環境問題，省資源，コストダウンの要求に応える。【解決手段】弾性を保有し、拡縮可能な可撓性シート材によりウエブを外周に巻取る筒状巻取芯１，１′を形成し、同巻取芯１，１′を縮小状態において両端よりテーパーコーン状ボス２を押し込み、筒形状を拡大してウエブＷを巻取り、巻取終了時、該巻取芯両端に押し込まれたテーパーコーン状ボス２を退去させて巻取芯形状を縮小し、ロール状に巻かれたウエブロールから巻取芯を引き抜き、ウエブロールを取り外す。【選択図】    図３
2004217397.tif 000002
【特許請求の範囲】
【請求項１】
ウエブの巻取りに際し、ウエブをその外周に巻取る筒状の巻取芯であって、該巻取芯は弾性を保有し、拡縮可能な可撓性シート材により筒状に形成されてなることを特徴とする巻取芯。
【請求項２】
可撓性シート材がバネ鋼シートまたはプラスチック材シートである請求項１記載の巻取芯。
【請求項３】
請求項１または２記載の巻取芯を用い、同巻取芯を筒形状縮小状態において両端よりテーパーコーン状ボスを押し込み筒形状を拡大してウエブを巻取ると共に、巻取終了時、該巻取芯両端に押し込まれた前記テーパーコーン状ボスを退去させて巻取芯筒形状を縮小し、巻取芯を引き抜いてロール状に巻かれたウエブロールを取り外すことを特徴とするウエブ巻取方法。
【発明の詳細な説明】
【０００１】
【発明の属する技術分野】
本発明はウエブを巻取る巻取芯ならびに該巻取芯を用いてウエブを巻取るウエブ巻取方法に関するものである。
【０００２】
【従来の技術】
従来のウエブ巻取りにおいて、送り出されてくるウエブを外周に巻取る巻取芯は、通常、紙管，プラスチック等のように予め中空円筒状に成形されたものであり、その筒径寸法は拡縮されないため、この巻芯真にウエブ等を巻取ると、巻き取った後は巻取芯のみ取り外すことは出来なかった。
【０００３】
そのため、このような巻取芯を含んで巻き上がった巻取ロールからウエブを巻き戻すときには、使い切った後は中空円筒状の巻取芯が不要物として残り、この巻取芯がたとえ紙管であっても簡単に廃棄することはできず、また再利用するにも手間と費用がかかってしまう問題があった。
しかも、近年、環境問題，省資源の傾向が高まり、コストダウンの必要性もあってウエブの巻取後に巻取芯をなくすことが求められていた。
【０００４】
【発明が解決しようとする課題】
本発明は上述の如き実状に鑑み、これに対処して巻取時は巻取芯の働きをし、巻き終えた後は巻取ロールから引き抜かれ、巻取ロールを巻芯なしの状態にすると共に、引き抜いた巻芯は次の巻取ロールの巻取芯に繰り返し使用できるようにした巻取芯を提供し、懸案の環境問題，省資源，コストダウンを達成せしめることを目的とするものである。
【０００５】
【課題を解決するための手段】
即ち、上記目的に適合し、所期の効果を達成する本発明は、その１つは弾性を保有し、拡縮可能な可撓性シート材により形成された筒状の巻取芯であり、他の１つは該筒状巻取芯を用い、同巻取芯を筒形状縮小状態において、両端よりテーパーコーン状ボスを押し込み、筒形状を拡大してウエブを巻取り、巻取終了時、該巻取芯両端に押し込まれた前記テーパーコーン状ボスを退去させて巻取芯の筒形状を縮小し、巻取芯を引き抜いてロール状に巻かれたウエブロールを取り外すウエブ巻取方法にある。
ここで、上記巻取芯を形成する可撓性シート材としては、弾性を保有し、径方向に拡縮可能であるバネ鋼シート又はプラスチック材シートの使用が好適である。
【０００６】
【作用】
本発明巻取芯は弾性を保有し、拡縮可能であることからウエブ巻取機の巻取位置に位置させ、筒状両端より巻取機のテーパーコーン状ボスを押し込み筒径を拡大して巻取芯外周にウエブを巻取らせる。
そして、巻取りが終了すると巻取芯両端に押し込まれたテーパーコーン状ボスを巻取芯両端より退去させ、巻取芯の径を縮小させて該巻取芯をウエブを巻き取った巻取ロールより引き抜くとロール状に巻かれたウエブロールが取り外され、巻取芯のない巻取ロールが得られる。
【０００７】
【発明の実施の形態】
以下、更に添付図面を参照して本発明の詳細を説明する。
【０００８】
図２は図１に示すウエブＷの巻取り用巻取芯１として用いられる本発明に係る巻取芯の各例であり、該巻取芯１はバネ鋼シート，プラスチック材シート等の弾性を保有し拡縮可能な可撓性シート材により形成されており、円筒状に巻き、端部を一部重合せしめて筒形状に成形されていて、図１に示すように送り出されてくるウエブＷをその外周に巻き取っている。
この場合、拡縮可能とは、筒状に形成された前記巻取芯が筒径方向に拡大，縮小可能であることであり、従って、可撓性シート材はこれに見合う弾性を保有することが肝要である。
なお、筒形状は図２（イ）に示す如く一部を重合させた円筒形状が一般的であるが、図２（ロ）に示すように巻取芯１′の外周切断部を角度θをもつ斜めとして重合するようにすれば巻取時の衝撃を少なくすることができる。
この場合、斜めの角度θは３〜１５°くらいが好適である。
勿論、巻取芯は上記形状に限らず、中空円筒状に成形あるいは切断部形状に種々の形状変化を与える等も可能であり、本発明の目的を逸脱しない限り適宜の改変を施すことができる。
【０００９】
図３は上記巻取芯１又は１′（以下において巻取芯１をもって代表させることとする）を用いてウエブＷの巻取りを行う場合の作動を示す。
即ち、（イ）においては本発明に係り前記巻取芯１が内径ｄをもってウエブ巻取位置に保持され、巻取芯１の内径ｄより稍大きい外径ｄ′をもつテーパーコーン状ボス２が押し込まれる前状態が示されている。
【００１０】
（ロ）は上記（イ）の状態より進み、テーパーコーン状ボス２がその外径ｄ′をもって巻取芯１の内径ｄを拡大しつつ押し込まれている状態であり、巻芯径の内径がテーパーコーン状ボスｄ′まて拡大されると、巻取芯１は巻取りの準備が完了する。
そこで（ハ）に示す如く送られてくるウエブＷを通常の如く巻取り、所要の巻取りを行う。この間、テーパーコーン状ボス２は巻取芯１両端に押し込まれた状態で巻取芯１を支持している。
【００１１】
かくして所要のウエブの巻取りが完了すると、巻取芯１の両端に押し込まれたテーパーコーン状ボス２が夫々、巻取芯１の両端よりはずれ、退去する。
このとき、巻取芯１はその弾性により径が縮小し、巻取芯１の外周に巻取ったウエブロールとの間に隙間を生じ、巻取芯１をウエブ巻取ロールより容易に引き抜くことが可能となる。
従って巻取芯１の引き抜きと共にウエブ巻取ロールは巻取芯を有しない巻取ロールとして取り出され、本発明の目的とする巻取芯を有しない巻取ロールを得ることができる。
【００１２】
【発明の効果】
本発明は以上のように弾性を保有し、拡縮可能な可撓性シート材で形成した巻取芯ならびに該巻取芯を用いた巻取方法であり、巻取芯は弾性を保有して拡縮可能であるため、巻取機に装備して、テーパーコーン状ボスを両端より押し込み、又は退去させることによって巻取芯の拡大，縮小が可能となり、ウエブ巻取り時は巻取芯の役目を果たして巻取りを可能ならしめ、巻取り後は引き抜かれて巻取芯のない巻取ロールとして取り外すことができ、巻取り、巻取り後の夫々に適応した作用をもたせてウエブの巻取りを効率よく行わせることができると共に、引き抜き後の巻取芯は次の巻取芯として繰り返し使用ができ、環境問題，省資源，コスト低減に対応する巻取芯ならびに巻取方法として頗る実用性に富む顕著な効果を有している。
【図面の簡単な説明】
【図１】ウエブ巻取りの態様を示す概要図である。
【図２】本発明に係る巻取芯の各例で、（イ）は通常の一部を重合した円筒形状例、（ロ）は切断部を斜めに切断した円筒形状例である。
【図３】本発明巻取芯を用いた巻取方法の実施態様を示す図で、（イ）は巻取芯にテーパーコーン状ボス押し込み前、（ロ）は同ボス押し込み時、（ハ）はボスを押し込み、ウエブを巻取っている時、（ニ）は巻取り完了後、上記ボスを引き抜き巻取芯の径を縮小させた状態を夫々示す。
【符号の説明】
Ｗ  ウエブ
１，１′  巻取芯
２  テーパーコーン状ボス
【図１】
2004217397.tif 000003
【図２】
2004217397.tif 000004
【図３】
2004217397.tif 000005